【手続補正書】
【提出日】令和3年8月25日(2021.8.25)
【手続補正１】
【補正対象書類名】特許請求の範囲
【補正対象項目名】全文
【補正方法】変更
【補正の内容】
【特許請求の範囲】
【請求項１】
ディスプレイ生成構成要素と通信するコンピュータシステムにおいて、
前記ディスプレイ生成構成要素を介して、前記コンピュータシステムのホーム画面ユーザインタフェース上に配置するためのユーザインタフェースオブジェクトを選択するための第１のユーザインタフェースを表示することであって、前記第１のユーザインタフェースは、第１のアプリケーションに対応するアプリケーションコンテンツを含む第１のユーザインタフェースオブジェクトを含む、ことと、
前記第１のユーザインタフェースを表示している間に、前記第１のユーザインタフェース内の個別の位置に向けられた第１のユーザ入力を検出することと、
前記第１のユーザインタフェース内の前記個別の位置に向けられた前記第１のユーザ入力を検出したことに応答して、前記第１のユーザインタフェースオブジェクトの１つ以上の構成オプションを１つ以上の所定の構成オプションであって前記第１のユーザインタフェースオブジェクトが該１つ以上の所定の構成オプションで予め構成されている、１つ以上の所定の構成オプションとは異なる構成オプションに変更するための構成ユーザインタフェースを表示することであって、
前記１つ以上の所定の構成オプションは、前記第１のユーザインタフェースオブジェクトについての第１のサイズを含み、
前記構成ユーザインタフェースは、前記１つ以上の所定の構成オプションで予め構成され且つ前記構成ユーザインタフェースの第１の大きさを占める前記第１のサイズで表示される前記第１のユーザインタフェースオブジェクトの表現を含む、ことと、
前記第１のユーザインタフェースオブジェクトの前記表現を前記１つ以上の所定の構成オプションで前記構成ユーザインタフェース内に表示する間に、前記構成ユーザインタフェースに向けられた１つ以上の入力を検出することと、
前記構成ユーザインタフェースに向けられた前記１つ以上の入力を検出したことに応答して、前記第１のユーザインタフェースオブジェクトの前記表現のサイズを、前記第１のサイズから、前記第１のサイズとは異なる第２のサイズに変更することであって、前記第２のサイズは、前記構成ユーザインタフェースの前記第１の大きさとは異なる前記構成ユーザインタフェースの第２の大きさを占める、ことと
を含む、方法。
【請求項２】
前記第１のユーザインタフェースは、前記第１のユーザインタフェースオブジェクトとは異なり、かつ第２のアプリケーションに対応するアプリケーションコンテンツを含む、第２のユーザインタフェースオブジェクトを含み、前記方法は、
前記第１のユーザインタフェース内の前記第２のユーザインタフェースオブジェクトに向けられたユーザ入力を検出したことに応答して、前記第２のユーザインタフェースオブジェクトの前記１つ以上の構成オプションを、１つ以上の所定の構成オプションであって前記第２のユーザインタフェースオブジェクトが該１つ以上の所定の構成オプションで予め構成されている、１つ以上の所定の構成オプションとは異なる構成オプションに変更するための構成インタフェースを表示することであって、
前記１つ以上の所定の構成オプションは、前記第２のユーザインタフェースオブジェクトについての第３のサイズを含み、
前記構成ユーザインタフェースは、前記１つ以上の所定の構成オプションで予め構成され且つ前記構成ユーザインタフェースの第３の大きさを占める前記第３のサイズで表示される前記第２のユーザインタフェースオブジェクトの表現を含む、ことと、
前記第２のユーザインタフェースオブジェクトの前記表現を前記１つ以上の所定の構成オプションで前記構成ユーザインタフェース内に表示する間に、前記構成ユーザインタフェースに向けられた１つ以上の入力を検出することと、
前記構成ユーザインタフェースに向けられた前記１つ以上の入力を検出したことに応答して、前記第２のユーザインタフェースオブジェクトの前記表現のサイズを、前記第３のサイズから、前記第３のサイズとは異なる第４のサイズに変更することであって、前記第３のサイズは、前記構成ユーザインタフェースの前記第３の大きさとは異なる前記構成ユーザインタフェースの第４の大きさを占める、ことと
を含む、請求項１に記載の方法。
【請求項３】
前記第１のユーザインタフェースオブジェクトの前記表現の前記サイズを前記第１のサイズから前記第２のサイズに変更した後に、前記第１のユーザインタフェースオブジェクトを前記第１のユーザインタフェースとは異なる個別のユーザインタフェースに追加する要求に対応する第２のユーザ入力を検出することと、
前記第２のユーザ入力を検出したことに応答して、前記個別のユーザインタフェース内に前記第１のユーザインタフェースオブジェクトを前記第２のサイズで表示することと
を含む、請求項１又は２に記載の方法。
【請求項４】
前記第１のユーザインタフェースは、異なるアプリケーションに対応するアプリケーションコンテンツを含む複数のユーザインタフェースオブジェクトの表現を含み、前記複数のユーザインタフェースオブジェクトは、同じ配置位置に関連付けられ、前記方法は、
前記第１のユーザインタフェースを表示する間に、前記同じ配置位置に関連付けられたアプリケーションコンテンツを含む前記複数のユーザインタフェースオブジェクトの前記表現の位置に対応する、前記第１のユーザインタフェース内の位置に向けられた第３のユーザ入力を検出することと、
前記第３のユーザ入力を検出したことに応答して、
前記第３のユーザ入力が、アプリケーションコンテンツを含む複数のユーザインタフェースオブジェクトを前記個別のユーザインタフェースに追加する要求に対応する、との判定に従って、
前記個別のユーザインタフェース内の個別の配置位置に、アプリケーションコンテンツを含む前記複数のユーザインタフェースオブジェクトのうちの１つを表示することであって、前記個別の配置位置は、前記第３のユーザ入力に従って選択される、ことと、
アプリケーションコンテンツを含む前記複数のユーザインタフェースオブジェクトを、前記個別の配置位置と関連付けることにより、アプリケーションコンテンツを含む前記複数のユーザインタフェースオブジェクトの異なるユーザインタフェースオブジェクトが、前記個別の配置位置において異なる時間に表示されることと
を含む、請求項３に記載の方法。
【請求項５】
前記個別のユーザインタフェースを表示する間に、前記個別のユーザインタフェース内の前記個別の配置位置に向けられた第４のユーザ入力を検出することと、
前記第４のユーザ入力を検出したことに応答して、
前記個別の配置位置が、アプリケーションコンテンツを含む前記複数のユーザインタフェースオブジェクトの前記表現の位置に対応するとの判定に従って、前記同じ配置位置に関連付けられた前記複数のユーザインタフェースオブジェクトの構成要素ユーザインタフェースオブジェクトを変更するための構成ユーザインタフェースを表示すること
を含む、請求項４に記載の方法。
【請求項６】
前記第１のユーザインタフェースオブジェクトについての１つ以上の構成オプションを変更するための前記構成ユーザインタフェースは、前記第１のユーザインタフェースオブジェクトの前記サイズを前記第１のサイズから、前記第２のサイズに変更するための１つ以上の第１の制御を含む、
請求項１から５のいずれか一項に記載の方法。
【請求項７】
前記第１のユーザインタフェースオブジェクトについての１つ以上の構成オプションを変更するための前記構成ユーザインタフェースは、前記第１のユーザインタフェースオブジェクトのタイプを第１のタイプから、前記第１のユーザインタフェースオブジェクトの前記第１のタイプとは異なる第２のタイプに変更するための１つ以上の第２の制御を含む、
請求項６に記載の方法。
【請求項８】
前記１つ以上の第１の制御と前記１つ以上の第２の制御は、アクティブにされると、前記第１のユーザインタフェースオブジェクトを自動的に選択された配置位置に追加させるアフォーダンスと同時に表示される、
請求項７に記載の方法。
【請求項９】
前記第１のユーザインタフェース内に表示される前記第１のユーザインタフェースオブジェクトは、前記第１のアプリケーションからの現在のアプリケーションデータを含み、前記方法は、
前記第１のユーザインタフェース内に前記第１のユーザインタフェースオブジェクトを表示している間に、前記第１のユーザインタフェースオブジェクトに含まれるアプリケーションデータが前記第１のアプリケーション内で更新されたとの判定に従って、前記第１のアプリケーションから更新されたアプリケーションデータを表示するために、前記第１のユーザインタフェース内の前記第１のユーザインタフェースオブジェクトを更新することを含む、
請求項１から８のいずれか一項に記載の方法。
【請求項１０】
前記第１のユーザインタフェース内に表示される前記第１のユーザインタフェースオブジェクトは、前記第１のアプリケーションからのユーザ固有のアプリケーションデータを含む、
請求項１から９のいずれか一項に記載の方法。
【請求項１１】
前記第１のユーザインタフェース内の前記個別の位置に向けられた前記第１のユーザ入力を検出したことに応答して、
前記第１のサイズで前記第１のユーザインタフェースオブジェクトを、前記１つ以上の第１の制御と同時に表示すること
を含む、請求項６から８のいずれか一項に記載の方法。
【請求項１２】
前記１つ以上の第１の制御と、アプリケーションコンテンツを含む前記第１のユーザインタフェースオブジェクトとを同時に表示する間に、前記１つ以上の第１の制御のうちの少なくとも１つをアクティブにする１つ以上のユーザ入力を検出することと、
前記１つ以上の第１の制御のうちの前記少なくとも１つをアクティブにする前記１つ以上のユーザ入力を検出したことに応答して、
前記第１のユーザインタフェースオブジェクトに対応するアプリケーションデータがロードされている間に、前記第１のユーザインタフェースオブジェクトの代わりにプレースホルダオブジェクトを表示することと、
前記第１のユーザインタフェースオブジェクトに対応する前記アプリケーションデータがロードされた後に、前記第１のユーザインタフェースオブジェクトを前記プレースホルダオブジェクトの代わりに表示することと
を含む、請求項１１に記載の方法。
【請求項１３】
前記１つ以上の第１の制御と同時に表示される前記第１のユーザインタフェースオブジェクトは、前記第１のユーザインタフェースの背景とは別個に移動するようにアニメーション化される、
請求項１１又は１２に記載の方法。
【請求項１４】
前記１つ以上の第１の制御と同時に表示される前記第１のユーザインタフェースオブジェクトは、前記ユーザインタフェースの前記背景に対して模擬されたｚ方向に傾斜するようアニメーション化される、
請求項１３に記載の方法。
【請求項１５】
前記第１のユーザインタフェースオブジェクトについての１つ以上の構成オプションを変更するための前記構成ユーザインタフェース及び前記第１のユーザインタフェースオブジェクトを同時に表示している間に、前記第１のユーザインタフェースオブジェクトを前記第１のユーザインタフェースオブジェクト用のユーザ選択された配置位置へドラッグする要求に対応するユーザ入力の初期部分を検出することと、
前記第１のユーザインタフェースオブジェクトを前記第１のユーザインタフェースオブジェクトの前記ユーザ選択された配置位置にドラッグする前記要求に対応する前記ユーザ入力の前記初期部分を検出したことに応答して、前記第１のユーザインタフェースオブジェクトが前記ユーザ入力の継続と共に移動可能であることを示すために、前記第１のユーザインタフェースオブジェクトの見掛けを変更することと
を含む、請求項１から１４のいずれか一項に記載の方法。
【請求項１６】
前記ホーム画面ユーザインタフェースのページの第１の部分上に前記第１のユーザインタフェースがオーバレイされ、前記ホーム画面ユーザインタフェースの前記ページの第２の部分は、前記第１のユーザインタフェースと同時に視認可能であり、前記ホーム画面ユーザインタフェースの前記ページは複数のアプリケーションアイコンを含み、前記複数のアプリケーションアイコンの１つ以上は前記ページの第２の部分内で視認可能である、
請求項１から１５のいずれか一項に記載の方法。
【請求項１７】
前記第１のユーザインタフェース内に、異なるアプリケーションに対応するアプリケーションコンテンツを含む第１の複数のユーザインタフェースオブジェクトを含む第１の予め構成されたユーザインタフェースオブジェクトグループを表示し、前記第１の予め構成されたユーザインタフェースオブジェクトグループは、個別のユーザインタフェース上に配置されると、前記第１の予め構成されたユーザインタフェースオブジェクトグループに含まれる異なるサブセットの、アプリケーションコンテンツを含む前記第１の複数のユーザインタフェースオブジェクトを、前記第１の予め構成されたユーザインタフェースオブジェクトグループの配置位置において異なる時間に表示する、
請求項１から１６のいずれか一項に記載の方法。
【請求項１８】
ディスプレイ生成構成要素と、
入力要素と、
１つ以上のプロセッサと、
を備えるコンピュータシステムであって、
１つ以上のプログラムを記憶したメモリと、を備え、前記１つ以上のプログラムが、前記１つ以上のプロセッサによって実行されるように構成されており、前記１つ以上のプログラムが、
前記ディスプレイ生成構成要素を介して、前記コンピュータシステムのホーム画面ユーザインタフェース上に配置するためのユーザインタフェースオブジェクトを選択するための第１のユーザインタフェースを表示し、前記第１のユーザインタフェースは、第１のアプリケーションに対応するアプリケーションコンテンツを含む第１のユーザインタフェースオブジェクトを含み、
前記第１のユーザインタフェースを表示している間に、前記第１のユーザインタフェース内の個別の位置に向けられた第１のユーザ入力を検出し、
前記第１のユーザインタフェース内の前記個別の位置に向けられた前記第１のユーザ入力を検出したことに応答して前記第１のユーザインタフェースオブジェクトの１つ以上の構成オプションを１つ以上の所定の構成オプションであって前記第１のユーザインタフェースオブジェクトが該１つ以上の所定の構成オプションで予め構成されている、１つ以上の所定の構成オプションとは異なる構成オプションに変更するための構成ユーザインタフェースを表示し、
前記１つ以上の所定の構成オプションは、前記第１のユーザインタフェースオブジェクトについての第１のサイズを含み、
前記構成ユーザインタフェースは、前記１つ以上の所定の構成オプションで予め構成され且つ前記構成ユーザインタフェースの第１の大きさを占める前記第１のサイズで表示される前記第１のユーザインタフェースオブジェクトの表現を含み、
前記第１のユーザインタフェースオブジェクトの前記表現を前記１つ以上の所定の構成オプションで前記構成ユーザインタフェース内に表示する間に、前記構成ユーザインタフェースに向けられた１つ以上の入力を検出し、
前記構成ユーザインタフェースに向けられた前記１つ以上の入力を検出したことに応答して、前記第１のユーザインタフェースオブジェクトの前記表現のサイズを、前記第１のサイズから、前記第１のサイズとは異なる第２のサイズに変更し、前記第２のサイズは、前記構成ユーザインタフェースの前記第１の大きさとは異なる前記構成ユーザインタフェースの第２の大きさを占める
命令を含む、コンピュータシステム。
【請求項１９】
前記１つ以上のプログラムが、請求項２から１７のいずれか一項に記載の方法を実行する命令を含む、請求項１８に記載のコンピュータシステム。
【請求項２０】
命令を含むプログラムであって、前記命令はディスプレイ生成構成要素及び入力要素を備えたコンピュータシステムによって実行されると、前記コンピュータシステムに、
前記ディスプレイ生成構成要素を介して、前記コンピュータシステムのホーム画面ユーザインタフェース上に配置するためのユーザインタフェースオブジェクトを選択するための第１のユーザインタフェースを表示し、前記第１のユーザインタフェースは、第１のアプリケーションに対応するアプリケーションコンテンツを含む第１のユーザインタフェースオブジェクトを含む、表示させ、
前記第１のユーザインタフェースを表示している間に、前記第１のユーザインタフェース内の個別の位置に向けられた第１のユーザ入力を検出させ、
前記第１のユーザインタフェース内の前記個別の位置に向けられた前記第１のユーザ入力を検出したことに応答して前記第１のユーザインタフェースオブジェクトの１つ以上の構成オプションを１つ以上の所定の構成オプションであって前記第１のユーザインタフェースオブジェクトが該１つ以上の所定の構成オプションで予め構成されている、１つ以上の所定の構成オプションとは異なる構成オプションに変更するための構成ユーザインタフェースを表示させ、
前記１つ以上の所定の構成オプションは、前記第１のユーザインタフェースオブジェクトについての第１のサイズを含み、
前記構成ユーザインタフェースは、前記１つ以上の所定の構成オプションで予め構成され且つ前記構成ユーザインタフェースの第１の大きさを占める前記第１のサイズで表示される前記第１のユーザインタフェースオブジェクトの表現を含み、
前記第１のユーザインタフェースオブジェクトの前記表現を前記１つ以上の所定の構成オプションで前記構成ユーザインタフェース内に表示する間に、前記構成ユーザインタフェースに向けられた１つ以上の入力を検出させ、
前記構成ユーザインタフェースに向けられた前記１つ以上の入力を検出したことに応答して、前記第１のユーザインタフェースオブジェクトの前記表現のサイズを、前記第１のサイズから、前記第１のサイズとは異なる第２のサイズに変更させ、前記第２のサイズは、前記構成ユーザインタフェースの前記第１の大きさとは異なる前記構成ユーザインタフェースの第２の大きさを占める、プログラム。
【請求項２１】
前記コンピュータシステムによって実行されると、請求項２から１７のいずれか一項に記載の方法を前記コンピュータシステムに実行させる、命令を更に含む、請求項２０に記載のプログラム。